(57)【特許請求の範囲】
【請求項１】
記録装置であって、
装置主本体と、
前記装置主本体に設けられたガイドレールと、
前記ガイドレールに案内されて往復動し、液体を噴射する液体噴射ヘッドと、前記液体噴射ヘッドに供給される液体を収容する液体収容部と、を含むキャリッジと、
印刷領域に記録媒体を搬送する搬送ローラーと、
前記印刷領域で、前記液体噴射ヘッドで記録された前記記録媒体を搬送する排出ローラーと、
前記装置主本体に、前記キャリッジの下部の一部より低い位置で、前記ガイドレールの延在方向に沿って配設され、前記排出ローラーを配置した排紙フレームと、
前記排紙フレームにおける前記キャリッジの前記下部の一部の移動領域と重なる領域に、前記キャリッジの前記液体収容部に向けて光を発光可能な発光部と、前記発光部から照射され、前記液体収容部で反射された反射光を受光する受光部と、を有する光学検出器と、を備え、
前記排紙フレームは、前記光学検出器が配置された位置および前記キャリッジの下部の端部よりも用紙の搬送方向下流で上方に突き出す第１の壁部と、前記光学検出器の周囲を囲む第２の壁部と、を有し、
前記キャリッジの前記下部の一部は、前記排紙フレームの前記第１壁部と前記第２壁部との間に、下方に突き出す第３の壁部を有し、
前記排紙フレームの前記第１の壁部と前記キャリッジの前記第３の壁部とは、互いに前記キャリッジの移動方向に直交する方向にて重なりを有する、
ことを特徴とする記録装置。
【発明の詳細な説明】
【技術分野】
【０００１】
本発明は、光学的検出部を備えた記録装置に関する。
【背景技術】
【０００２】
一般に、搬送される用紙などの記録媒体に印刷などの記録処理を行う記録装置としてインクジェット式プリンターが広く知られている。通常、こうしたプリンターは、着脱可能に装着されたインクカートリッジから供給されるインクを使用して印刷をするため、インクカートリッジが装着されていない状態で印刷することのないように、インクカートリッジが正しく装着されているか確認する手段を有している。
【０００３】
例えば、特許文献１には、インクカートリッジを装着して主走査方向に往復移動するキャリッジの移動経路上の所定位置に発光部と受光部を有した光学センサーを備えたプリンターが記載されている。そして、このプリンターでは、正しくインクカートリッジが装着されているときのみ、光学センサーの設置位置の上方を通過するキャリッジに向けて発光部から照射された後にインクカートリッジの外壁面で反射した反射光が受光部で検出されるよう構成されている。つまり、受光部での反射光の検出の有無によって、インクカートリッジが正しく装着されているか否かを判定している。
【先行技術文献】
【特許文献】
【０００４】
【特許文献１】特開平１１−１３８８５４号公報
【発明の概要】
【発明が解決しようとする課題】
【０００５】
ところで、光学センサーを備えたプリンターを窓際や照明の近くに置くと、プリンターの使用時に、本体カバーやフレームの隙間から太陽光や照明光等の外乱光が光学センサーの受光部に入射し、検出不良を招いてしまうという問題があった。これは、主走査方向に往復移動するキャリッジとその下方に固定配置される光学センサーとの間に、互いが干渉するのを防ぐための隙間が設けられており、この隙間から光学センサー内に強い外乱光が入射することが主な原因である。
【０００６】
そこで、特許文献１に記載のプリンターには、光学センサーに外乱光が入射しないよう、光学センサーの周囲に遮光壁としての凸部を設けているが、この構成では外乱光が直接光学センサーに入射することを防げても、光学センサー周辺に外乱光が入射することまでは防げない。よって、上記構成では、光学センサー周辺で反射した外乱光が光学センサーに入射し、結果として光学センサーの検出不良を招いてしまう可能性があり、外乱光対策としては十分であるとはいえない。
【０００７】
本発明は、こうした実情に鑑みてなされたものであり、その目的は、光学的検出部による光学的な検出動作が行われる記録装置において、光学的検出部が外乱光の影響で誤検出することを抑制できる記録装置を提供することにある。
【課題を解決するための手段】
【０００８】
上記目的を達成するために、本発明の記録装置は、液体を噴射する液体噴射ヘッド及び該液体噴射ヘッドに供給する前記液体を収容する液体収容部を備えて移動可能に設けられた移動体と、該移動体に向けて光を発光可能な発光部及び該発光部から発光された光の前記移動体側からの反射光を受光する受光部を有する光学的検出部とを備え、前記移動体には、前記光学的検出部の前記受光部に外乱光が入射するのを遮光可能な遮光部を設けた。
【０００９】
光学的検出部を設置して移動体との間に隙間を形成する装置本体側に遮光部を設けた場合では、その遮光部の突出方向が移動体側に向かう１方向に限られるのに対して、上記構成のように移動体側に遮光部を設ける場合では、その突出方向が移動体側に向かう１方向に限定されない。すなわち、移動体側に設ける場合には、遮光部を突出させる方向を自由に選ぶことができる。さらに、突出方向だけでなく、遮光部の大きさや形状についても、移動体側に遮光部を設ける場合の方が制約は小さい。そのため、遮光部の設計自由度が拡大し、あらゆる方向からの外乱光に対しても遮光機能を発揮できる遮光部を設けることができる。したがって、光学的検出部による光学的な検出動作が行われる記録装置において、光学的検出部が外乱光の影響で誤検出することを抑制できる。
【００１０】
また、本発明の記録装置において、前記遮光部は、前記移動体において前記光学的検出部との間に隙間を形成して該光学的検出部と対向する面の端部に設けられている。
上記構成によれば、光学的検出部に入射する外乱光の主たる経路である移動体と光学的検出部との間の隙間を効果的に遮光することができ、光学的検出部に直接届く光を限定することができる。
【００１１】
また、本発明の記録装置は、前記移動体の移動方向に沿って延びるように配置されるフレームをさらに備え、前記遮光部と前記フレームとは、前記移動体の移動方向と直交する方向において、重なりを有する。
【００１２】
上記構成によれば、遮光部とフレームとが移動体の移動方向と直交する方向において重なりを有しているため、移動体の移動方向と直交する方向から入射する外乱光を効果的に遮光することができ、光学的検出部に直接届く光を限定することができる。
【００１３】
また、本発明の記録装置において、前記遮光部は、光吸収色に着色されている。
上記構成によれば、白色等の光を反射しやすい色に着色された場合と比較して、移動体と光学的検出部との間の隙間に外乱光が入射したときに、その光が移動体に設けられた遮光部を透過したり、反射したりすることがなく、光学的検出部の受光部まで外乱光が届きにくくなる。
【００１４】
また、本発明の記録装置において、前記光学的検出部の周辺部位は、光吸収色に着色されている。
上記構成によれば、光学的検出部の周辺部位まで外乱光が届いたとしても、その周辺部位で光を吸収することで、受光部に外乱光が届くまでに外乱光の光強度を弱くすることができる。
【００１５】
また、本発明の記録装置において、前記遮光部は、前記移動体から前記光学的検出部に
向かう方向と交差する方向に突設されている。
上記構成によれば、光学的検出部と移動体との間の隙間が小さくとも、その隙間の外側
となる位置から庇状に遮光部を任意の長さで突設することができるので、十分な外乱光対
策を取ることができる。
また、本発明の記録装置は、装置本体と、前記装置主本体に設けられたガイドレールと、前記ガイドレールに案内されて往復動し、液体を噴射する液体噴射ヘッドと、前記液体噴射ヘッドに供給される液体を収容する液体収容部と、を含むキャリッジと、印刷領域に記録媒体を搬送する搬送ローラーと、前記印刷領域で、前記液体噴射ヘッドで記録された前記記録媒体を搬送する排出ローラーと、前記装置主本体に、前記キャリッジの下部の一部より低い位置で、前記ガイドレールの延在方向に沿って配設され、前記排出ローラーを配置した排紙フレームと、前記排紙フレームにおける前記キャリッジの前記下部の一部の移動領域と重なる領域に、前記キャリッジの前記液体収容部に向けて光を発光可能な発光部と、前記発光部から照射され、前記液体収容部で反射された反射光を受光する受光部と、を有する光学検出器と、を備え、前記排紙フレームは、前記光学検出器が配置された位置および前記キャリッジの下部の端部よりも用紙の搬送方向下流で上方に突き出す第１の壁部と、前記光学検出器の周囲を囲む第２の壁部と、を有し、前記キャリッジの前記下部の一部は、前記排紙フレームの前記第１壁部と前記第２壁部との間に、下方に突き出す第３の壁部を有し、前記排紙フレームの前記第１の壁部と前記キャリッジの前記第３の壁部とは、互いに前記キャリッジの移動方向に直交する方向にて重なりを有することを特徴とする。
【図面の簡単な説明】
【００１６】
【図１】本発明に係る実施形態のプリンターの全体斜視図。
【図２】キャリッジの左下方からの斜視図。
【図３】インク残量検出システムの概略を説明する断面図。
【図４】プリンターの部分平面図。
【図５】図４における５−５線矢視断面図。
【図６】図４における６−６線矢視断面図。
【図７】図５における要部の拡大図。
【図８】図６における要部の拡大図。
【発明を実施するための形態】
【００１７】
以下、本発明を記録装置の一種であるインクジェット式プリンター（以下、単に「プリンター」ともいう。）に具体化した実施形態を図１〜図８を用いて説明する。
図１に示すように、本実施形態のプリンター１０において背側と前側が開口する略四角箱状の本体フレーム（装置本体）１１の背側には、複数枚の用紙Ｐを差し入れセット可能な給紙トレイ１２が設けられている。そして、プリンター１０は、給紙トレイから１枚ずつ給送された用紙Ｐに印刷を施し、印刷後の用紙Ｐを本体フレーム１１の前面下段位置に設けられたスライド式の排紙トレイ１３上に排出する。
【００１８】
本体フレーム１１の背面には所定長さを有するガイドレール１４ａ，１４ｂが架設され、これらのガイドレール１４ａ，１４ｂに沿ってキャリッジ１５が主走査方向（左右方向）への往復移動可能に設けられている。また、キャリッジ１５は、本体フレーム１１の背板内面に取着された一対のプーリー１６に巻き掛けられた無端状のタイミングベルト１７に固定されている。そのため、図１における右側のプーリー（図示略）に駆動軸が取着された駆動手段の一例であるキャリッジモーター１８が正逆転駆動されて、タイミングベルト１７が正転・逆転することにより、キャリッジ１５は主走査方向（左右方向）に往復移動する。
【００１９】
また、キャリッジ１５の背面側には、キャリッジ１５の移動量に比例する数のパルスを出力するリニアエンコーダー１９がガイドレール１４ａに沿って左右方向へ延びるように設けられている。
【００２０】
キャリッジ１５の下部には、液体噴射ヘッドの一例としてのインクジェット式の記録ヘッド３５が設けられている。この記録ヘッド３５の下面には、液体の一例としてのインクを噴射する複数のノズル（図示略）が開口している。また、キャリッジ１５の上部には複数個のインクカートリッジ２０（２０ａ〜２０ｄ）が装填されている。インクカートリッジ２０は、液体（インク）を収容する液体収容体であって、例えば黒（Ｋ）、シアン（Ｃ）、マゼンタ（Ｍ）、イエロー（Ｙ）の４色のインクがそれぞれ収容されている。記録ヘッド３５は、各インクカートリッジ２０から供給されたインクを色別のノズルからそれぞれ噴射する。
【００２１】
キャリッジ１５が往復移動する主走査領域における記録ヘッド３５と対向する本体フレーム１１内の下方位置には、記録ヘッド３５と用紙Ｐとの間隔（ギャップ）を規定する支持台２１が設けられている。支持台２１は記録ヘッド３５によるインク噴射での印刷が行われる印刷領域を含む範囲に亘って幅方向（左右方向）に延びている。印刷中は用紙Ｐのうち支持台２１上の箇所に記録ヘッド３５から噴射されたインクが着弾する。
【００２２】
また、用紙Ｐの搬送方向（前方向）における支持台２１の上流側と下流側には用紙Ｐを搬送するための搬送ローラー２２と排出ローラー２３（図４参照）が設けられ、駆動モーター２４によって回転駆動されることで搬送ローラー２２と排出ローラー２３は用紙Ｐを排紙トレイ１３に搬送する。なお、搬送ローラー２２は、本体フレーム１１に設けられ、排出ローラー２３は、支持台２１の下流側で本体フレーム１１内の左右方向に亘って架設される排紙フレーム（フレーム）２５に設けられている。
【００２３】
排紙フレーム２５の上面側であって、排紙フレーム２５の中央からやや右方寄りの位置には、インクカートリッジ２０のインク残量検出を行う光学センサー２６が光学的検出部の一例として埋設されている。光学センサー２６は、光を発光する発光部２６ａ及び光を受光する受光部２６ｂを備えており（図３、図６、図８参照）、排紙フレーム２５の光学センサー２６が埋設される周辺部位は外乱光を反射しないように光吸収色の一種である黒色に着色されている。
【００２４】
以上より、プリンター１０は、キャリッジ１５を主走査方向（左右方向）に往復動させながら記録ヘッド３５のノズルから用紙Ｐにインクを噴射する印字動作と、用紙Ｐを副走査方向（前方向）に所定の搬送量で搬送する送り動作とを交互に繰り返すことで、用紙Ｐに文書や画像等の印刷を行う。
【００２５】
図２に示すように、キャリッジ１５は上面が開かれた略四角箱状に形成されており、その最下面には記録ヘッド３５を装着して保持するための装着口１５ａが設けられている。また、キャリッジ１５における前方側の下面部分、すなわち、光学センサー２６との間に隙間を形成して光学センサー２６と対向する面域の端部には、その隙間内へのそれぞれ前側、右側及び左側からの光の入射を防ぐための遮光壁（遮光部）３０ａ〜３０ｃが突設されている。具体的には、前側遮光壁３０ａ、右側遮光壁３０ｂ及び左側遮光壁３０ｃが突設され、それらの各遮光壁３０ａ〜３０ｃにより囲まれたインク残量検出領域３１がキャリッジ１５の下面側に設けられている。
【００２６】
インク残量検出領域３１には、各インクカートリッジ２０に対応した数の分光リブ３２が設けられ、その分光リブ３２の両側にはインク残量を計測するために発光部２６ａが発する光を通す入射光通路３３と、インクカートリッジ２０側からの反射光を通す反射光通路３４が穿設されている。なお、このインク残量検出領域３１は、各遮光壁３０ａ〜３０ｃも含めて、入射する光を反射させない目的で最も光を吸収しやすい黒色（光吸収色）に着色されている。
【００２７】
次に、本実施形態におけるインク残量検出のシステム原理について、図３を用いて説明する。なお、この図３では、光学センサー２６が、複数のインクカートリッジ２０（２０ａ〜２０ｄ）のうち、インクカートリッジ２０ａのインク残量検出を行うときの状態を模式的に示しており、また、外乱光を遮光するための遮光壁３０ａ〜３０ｃの図示を省略している。
【００２８】
図３に示すように、キャリッジ１５の移動領域の下側に位置する排紙フレーム２５には、発光部２６ａと受光部２６ｂを備えた光学センサー２６が配置され、発光部２６ａと受光部２６ｂのそれぞれに対して、キャリッジ１５に設けられた入射光通路３３と反射光通路３４が上下方向に一直線状に並ぶようにキャリッジ１５が配置される。キャリッジ１５に搭載されるインクカートリッジ２０ａは、図３に示すように搭載された状態で底壁となる壁部が直角三角柱状のプリズム３６で構成されており、このプリズム３６の直角をなして交差する各斜面とインクカートリッジ２０ａの壁部内面とでインクを収容する液体収容部の一例であるインク室３７が形成されている。
【００２９】
インク室３７内のインク液面Ｌが図３に実線で示すインク液面Ｌのようであってインク残量が十分に残っている場合には、発光部２６ａから発せられた光はプリズム３６で反射せず、インク室３７の内部において屈折する。その一方、インク室３７のインク残量が減少し、インク液面Ｌが図３に一点鎖線で示すインク液面Ｌまで低下した場合には、発光部２６ａから発せられた光はプリズム３６内で反射し、その反射光が受光部２６ｂに入射する。このように、光学センサー２６によるインク残量検出は、インクカートリッジ２０ａの液量を、インクカートリッジ２０ａの底面に設けられたプリズム３６に照射した光の反射光を受光部２６ｂで検出することで行われる。
【００３０】
以上のように、本実施形態のインク残量検出システムでは、受光部２６ｂで反射光を検出してインク残量を検出する方法をとっている。そのため、仮に外乱光が受光部２６ｂに入射すると、受光部２６ｂはその光がプリズム３６で反射された光であると誤認識してインクカートリッジ２０の液量が十分あったとしても、残量がないと判断する検出不良を招いてしまうことになる。
【００３１】
次に、以上のように構成されたプリンター１０の作用について図４〜図８を用いて説明する。前述したとおり光学センサー２６は、搬送方向に搬送される用紙Ｐの上側であって、主走査方向に往復移動するキャリッジ１５の下側に位置しているため、印刷中に逐次変化するインクカートリッジ２０のインク残量の検出が可能である。本実施形態では、インク残量検出の信頼性を向上する目的で、毎パス、キャリッジ１５に装着される全インクカートリッジ２０のインク残量の検出が行われる。
【００３２】
さて、インク残量の検出は、主走査方向に往復移動するキャリッジ１５の復路過程において行われる。すなわち、キャリッジ１５の右端側に搭載されるインクカートリッジ２０ｄから左端側へ順に、光学センサー２６の発光部２６ａ及び受光部２６ｂと、各インクカートリッジ２０（２０ａ〜２０ｄ）に対応して設けられる各光通路３３，３４とが、上下方向に一直線上に並んだときに行われる。この検出作業をキャリッジ１５に装着されるインクカートリッジ２０の個数分だけ繰り返すことで１パスにおけるインク残量検出が完了する。
【００３３】
次に、インク残量検出を行う際の外乱光の影響の有無について説明する。
さて、本実施形態では光学センサー２６は排紙フレーム２５の主走査方向（左右方向）における略中央に位置しているため、プリンター１０の前方、右方及び左方から入射する外乱光の影響を考える必要がある。本実施形態では４色のインクカートリッジ２０ａ〜２０ｄがキャリッジ１５に搭載されているが、右方及び左方から入射する外乱光により、特にキャリッジ１５の左右両端に各々搭載されるインクカートリッジ２０ａ，２０ｄのインク残量検出時において外乱光の影響が大きくなる。なお、前方から入射する外乱光の影響は、どのインクカートリッジ２０ａ〜２０ｄのインク残量検出時でも同等である。
【００３４】
以下、任意のインクカートリッジ２０のインク残量検出時における前方からの外乱光の影響を図５及び図７に、キャリッジ１５の左端に搭載されたインクカートリッジ２０ａのインク残量検出時における左方からの外乱光の影響を図６及び図８に示して説明する。なお、キャリッジ１５の右端に搭載されたインクカートリッジ２０ｄのインク残量検出時における右方からの外乱光の影響については、キャリッジ１５の左端に搭載されたインクカートリッジ２０ａのインク残量検出時における左方からの外乱光の影響と略同様であるため、重複する記載を省略する。
【００３５】
さて、光学センサー２６に対して各方向から入射しようとする外乱光Ａ１〜Ａ３，Ｂ１〜Ｂ３のうち多くの外乱光Ａ１，Ａ２，Ｂ１，Ｂ２は、図５及び図６に２点鎖線で示すように、キャリッジ１５の壁面１５ｂや、排紙フレーム２５に遮られ、インク残量検出領域３１まで入射することはない。また、各遮光壁３０ａ，３０ｃと排紙フレーム２５との隙間に入射する外乱光については、図７及び図８に２点鎖線で示すようにインク残量検出領域３１内に入射するものの、光学センサー２６の受光部２６ｂ及び受光部２６ｂが埋設される開口部２６ｃの内側まで入射することはない。図７に示すように、特に前側遮光壁３０ａと排紙フレーム２５とが高さ方向（キャリッジ１５の主走査方向と直交する方向）で重なっているため、前側からの外乱光は効果的に遮光される。
【００３６】
そして、インク残量検出領域３１内に入射した外乱光Ａ３，Ｂ３がインク残量検出領域３１内で１回反射した場合でも、そのように１回反射した外乱光Ａ３，Ｂ３は受光部２６ｂまでは入射することがない。さらに、複数回反射する外乱光については、受光部２６ｂまで到達する可能性があるが、その場合は、複数回反射する過程で、光吸収色である黒色に着色されているインク残量検出領域３１の壁面に吸収されるため、受光部２６ｂに入射したとしても、その光量は減退しており光学センサー２６の検出に影響を与えることはない。よって、プリンター１０に外乱光が入射しても、その影響を受けることなく、光学センサー２６は、インクカートリッジ２０のインク残量を検出することができる。
【００３７】
以上詳述したように、本実施形態によれば、以下の効果を得ることができる。
（１）光学センサー２６を設置してキャリッジ１５との間に隙間を形成する本体フレーム１１側に遮光壁を設けた場合では、その遮光壁の突出方向がキャリッジ１５側に向かう１方向に限られてしまう。これに対して、本実施形態のようにキャリッジ１５側に遮光壁３０ａ〜３０ｃを設ける場合では、その突出方向がキャリッジ１５側に向かう１方向に限定されない。すなわち、キャリッジ１５側に設ける場合には、遮光壁３０ａ〜３０ｃを突出させる方向を自由に選ぶことができる。さらに、突出方向だけでなく、遮光壁３０ａ〜３０ｃの大きさや形状についても、キャリッジ１５側に遮光壁３０ａ〜３０ｃを設ける場合の方が制約は小さい。そのため、遮光壁３０ａ〜３０ｃの設計自由度が拡大し、あらゆる方向からの外乱光に対しても遮光機能を発揮できる遮光壁３０ａ〜３０ｃを設けることができる。したがって、光学センサー２６による光学的な検出動作が行われるプリンター１０において、光学センサー２６が外乱光の影響で誤検出することを抑制できる。
【００３８】
（２）キャリッジ１５において光学センサー２６と対向する面域の端部に突設した遮光壁３０ａ〜３０ｃにより、光学センサー２６に入射する外乱光の主たる経路であるキャリッジ１５と光学センサー２６との間の隙間を効果的に遮光することができ、光学センサー２６に直接届く光を限定することができる。
【００３９】
（３）前側遮光壁３０ａと排紙フレーム２５とがキャリッジ１５の主走査方向と直交する高さ方向において重なりを有しているため、キャリッジ１５の主走査方向と直交する方向から入射する外乱光を効果的に遮光することができ、光学センサー２６に直接届く光を限定することができる。特にプリンター１０の前面からの外乱光Ａ１〜Ａ３に対して、キャリッジ１５の前方側の端部に設けられた前側遮光壁３０ａと排紙フレーム２５とが高さ方向で重なっているため効果的に遮光することができる。
【００４０】
（４）遮光壁３０ａ〜３０ｃは光吸収色の黒色に着色されているので、白色等の光を反射しやすい色に着色された場合と比較して、キャリッジ１５と光学センサー２６との間の隙間に外乱光が入射した際に、その光がキャリッジ１５に設けられた遮光壁３０ａ〜３０ｃを透過したり、反射したりすることがなく、光学センサー２６の受光部２６ｂまで外乱光が届きにくくなる。
【００４１】
（５）本体フレーム１１側の光学センサー２６が設置された位置の周辺部位は、光吸収色の黒色に着色されているので、キャリッジ１５との隙間から光学センサー２６の周辺部位まで外乱光が届いたとしても、その周辺部位で光を吸収することで、受光部２６ｂに外乱光が届くまでに外乱光の光強度を弱くすることができる。
【００４２】
（６）キャリッジ１５が往復移動する際に、毎パス、インク残量を検出することで、使用状況に対するインク残量の変化を詳細に捉えることができ、インク残量検出の信頼性を高めることができる。
【００４３】
なお、上記実施形態は以下の態様に変更してもよい。
・上記実施形態において、光学センサー２６はインク室３７の壁面を構成するプリズム３６がキャリッジ１５の前面や背面に設けられているならば、そのようなキャリッジ１５の前面や背面に向かって光を発光するように設けてもよい。
【００４４】
・上記実施形態において、インク残量検出領域３１等に着色する光吸収色は光学センサー２６が対象とする光の波長に対して高い吸収性を持つ色であれば黒色でなくてもよい。
・上記実施形態において、インク残量の検出は毎パスではなく複数パスごとに行ってもよい。また、時間を計測して所定時間が経過する毎に検出するように構成してもよい。
【００４５】
・上記実施形態において、例えば図６に二点鎖線で示すように、遮光壁３０ａ〜３０ｃ（同図では右側遮光壁３０ｂ）の突設方向は、キャリッジ１５から光学センサー２６に向かう方向と交差する方向（同図では水平方向）にしてもよい。このようにすれば、光学センサー２６とキャリッジ１５との間の隙間が小さくとも、その隙間の外側となる位置（キャリッジ１５の側面）から庇状に遮光壁を任意の長さで突設することができるので、十分な外乱光対策を取ることができる。
【００４６】
・上記実施形態において、光学センサー２６は、キャリッジ１５に対してインクカートリッジ２０が装着されているか否か、装着姿勢が適正であるか否かなど、インク残量の検出以外の検出動作を行うものであってもよい。
【００４７】
・上記実施形態において、前側遮光壁３０ａと排紙フレーム２５とは、キャリッジ１５の主走査方向と直交する用紙Ｐの搬送方向において重なっていてもよい。要するに、キャリッジ１５の移動方向である主走査方向と直交する方向であれば、高さ方向に限らず、その他の方向と重なっていてもよい。
【００４８】
・上記実施形態では、記録装置を、液体としてのインクを噴射するプリンター１０として具体化したが、インク以外の他の液体を噴射したり吐出したりする液体噴射装置として具体化してもよい。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散又は溶解のかたちで含む液体を噴射する液体噴射装置がある。あるいは、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【符号の説明】
【００４９】
１０…プリンター（記録装置）、１５…キャリッジ（移動体）、２５…排紙フレーム（フレーム）、２６…光学センサー（光学的検出部）、２６ａ…発光部、２６ｂ…受光部、３０ａ…前側遮光壁（遮光部）、３０ｂ…右側遮光壁（遮光部）、３０ｃ…左側遮光壁（遮光部）、３５…記録ヘッド（液体噴射ヘッド）、３７…インク室（液体収容部）、Ａ１，Ａ２，Ａ３，Ｂ１，Ｂ２，Ｂ３…外乱光。
【図１】
0005974357.tif 000002
【図２】
0005974357.tif 000003
【図３】
0005974357.tif 000004
【図４】
0005974357.tif 000005
【図５】
0005974357.tif 000006
【図６】
0005974357.tif 000007
【図７】
0005974357.tif 000008
【図８】
0005974357.tif 000009